(57)【特許請求の範囲】
【請求項１】
容器状構造物のライニング内張り容器の内側に、複数のライニングプレートを据付ける際に用いられるライニングプレート据付兼雨養生治具であって、
前記ライニングプレート据付兼雨養生治具は、横行レールと、該横行レールを支持するＨ鋼材から成る長尺な大引きと、前記横行レールを横行可能とするトロリを介して取付けられるか又は前記横行レールに直接取付けられたホイストクレーンと、該ホイストクレーンに設けられた吊りフックと、前記長尺な大引きの一方側を支持し、前記容器状構造物に設けられた手摺りに取付けられている第１のパイプサポートと、前記長尺な大引きの他方側を支持し、前記ライニング内張り容器内に設置された作業床に取付けられている大引き受けと、前記手摺りに取付けられている第２のパイプサポートと、前記作業床に取付けられている第３のパイプサポートと、前記第２及び第３のパイプサポートに支持され、前記吊りフックで吊上げられた前記ライニングプレートの据付け作業時に雨水又は雪から防護する屋根部材とを備えていることを特徴とするライニングプレート据付兼雨養生治具。
【請求項２】
請求項１に記載のライニングプレート据付兼雨養生治具において、
前記ホイストクレーンに設けられた前記吊りフックを介してチェーンブロック装置が取り付けられ、該チェーンブロック装置に設けられた第２の吊りフックで前記ライニングプレートが吊上げられることを特徴とするライニングプレート据付兼雨養生治具。
【請求項３】
請求項１又は２に記載のライニングプレート据付兼雨養生治具において、
前記手摺りは、前記容器状構造物に設けられた前記ライニング内張り容器内への墜落防止用であり、前記作業床は、前記ライニング内張り容器の内側の容器全周に設けられた渡り足場であることを特徴とするライニングプレート据付兼雨養生治具。
【請求項４】
請求項１乃至３のいずれか１項に記載のライニングプレート据付兼雨養生治具において、
前記大引き受け及び前記第１のパイプサポートは、高さが調整できるジャッキベースであることを特徴とするライニングプレート据付兼雨養生治具。
【請求項５】
請求項１乃至４のいずれか１項に記載のライニングプレート据付兼雨養生治具において、
前記大引き受けと前記第１のパイプサポートは、ボルトで締結されていることを特徴とするライニングプレート据付兼雨養生治具。
【請求項６】
複数枚にまとめて容器状のライニング内張り容器に搬入されたライニングプレートを、請求項１乃至５のいずれか１項に記載のライニングプレート据付兼雨養生治具を用いて屋根部材により雨水又は雪から防護した状態で１枚毎に吊り上げると共に、前記ライニングプレートを１枚毎に雨水又は雪から防護した状態で前記ライニング内張り容器の内側の所定位置に移動して据付けることを特徴とするライニングプレート据付兼雨養生治具を用いたライニングプレート据付方法。
【請求項７】
請求項６に記載のライニングプレート据付兼雨養生治具を用いたライニングプレート据付方法において、
前記ライニング内張り容器の内側の所定位置に移動して据付けられた複数枚の前記ライニングプレート同士は、雨水又は雪から防護した状態で溶接接合されることを特徴とするライニングプレート据付兼雨養生治具を用いたライニングプレート据付方法。
【発明の詳細な説明】
【技術分野】
【０００１】
本発明はライニングプレート据付兼雨養生治具及びこの治具を用いたライニングプレート据付方法に係り、特に、壁躯体コンクリートで構成されるライニング内張り容器の内面にライニングプレートを設置するものに好適なライニングプレート据付兼雨養生治具及びこの治具を用いたライニングプレート据付方法に関する。
【背景技術】
【０００２】
壁躯体コンクリートで構成される容器状の大規模構造物のうち、躯体内面の全面にライニングプレートを設置する必要のある構造物として、原子力発電設備等で用いられるライニング内張り容器（例えば、燃料貯蔵プール）がある。その構造は、容器状のコンクリート躯体面に、予め埋設された下地材を使用して複数枚のライニングプレートを据付けるものである。
【０００３】
例えば、原子力発電設備等で用いられるライニング内張り容器の工事では、ライニング内張り容器の躯体コンクリートを構築するための躯体工事と、躯体表面にライニングプレートを設置する機械工事の２種類の工事が併進した作業が行われ、各々の工事においてライニング内張り容器の壁躯体と同等の高さを要する足場等の作業床が必要となる。
【０００４】
また、上述した機械工事のライニングプレート据付作業には、大型の揚重設備（例えば、クレーン）を用いて作業を実施しているが、大型の揚重設備は、作業エリアの制約により併用されているため、揚重設備を専従できず作業を実施するタイミングに影響を受ける。
【０００５】
特に、原子力発電設備の燃料貯蔵プールのようなライニング内張り容器の工事は、長期間コンクリート躯体に屋根が無い状態が続くが、複数枚で構成されるライニングプレート同士を貼り付けて溶接する際に、雨水や雪等がライニングプレート面及びコンクリート躯体面に付着する恐れがある。ライニングプレート面及びコンクリート躯体面に雨水や雪等が付着すると、これらの面が湿った状態となるため、ライニングプレートの発錆の誘発や溶接品質に悪影響を与える可能性がある。
【０００６】
このため、ライニングプレートの設置時には、雨水や雪等からの防護が必要となるが、上述の通り、ライニング内張り容器の工事は大型揚重設備を用いて実施しているため、コンクリート躯体に屋根等の設置が難しく、ライニングプレートの設置時の雨水や雪等からの防護が困難となり、天候によっても工事期間は影響を受ける他、機械工事のライニングプレートの据付作業及びライニングプレートの貼り付け溶接にも影響が生じる。
【０００７】
このような、密閉された既設地下タンク内を雨水や雪等から防護するための雨養生設備が不要となる方法として、既設地下タンクの内壁構造物を補修作業する内壁構築工法が特許文献１に記載されている。
【０００８】
この特許文献１には、既設地下タンク内の上端の側壁に、アンカーボルトにより固定したブラケットを用いて走行レール及びホイストクレーンを設定した既設地下タンクの内壁構造物を補修作業する内壁構築工法が開示されている。
【０００９】
これは、密閉された既設タンクにおいて、予め計画された搬入口より資機材をタンク内に搬入し、その資機材を所望の位置及び高さまで容易に移動でき、また、密閉された既設地下タンク内であるため、雨水や雪等から防護するための雨養生設備は不要となる。
【先行技術文献】
【特許文献】
【００１０】
【特許文献１】特開平１−１０２１７５号公報
【発明の概要】
【発明が解決しようとする課題】
【００１１】
しかしながら、従来の工法では、他の作業（例えば、躯体工事）と併用していた大型揚重設備を用いて機械工事のライニングプレートの据付作業を実施していたため、他の作業（例えば、躯体工事）と併用されている大型揚重設備を機械工事側で専従できず。作業を実施するタイミングに影響を受け非効率であるという問題があった。
【００１２】
また、機械工事のライニングプレートの据付作業を行うには、雨水や雪等からの防護を必要となるが、機械工事は上述した通り大型揚重設備を用いての作業であるため、雨水や雪等からの防護ができないといった問題が生じた。
【００１３】
一方、特許文献１に記載の工法は、予めブラケット他を設定するために、既設地下タンク内での付帯作業（例えば、アンカーボルト設定作業他）が必要であること。また、他の揚重設備が設置されていない密閉された既設地下タンク内で、その付帯工事を含むブラケット他の設定をするためには、資機材を人力で運ぶ必要があり安全面に欠ける。これを補うために、付帯作業を伴わないブラケットの固定方法や資機材を設定するための揚重設備を設ける等にて解決する手法も考えられるが、密閉された既設地下タンク内の作業が故に他の揚重設備を設けることは困難であり、かつ、付帯作業を伴わないブラケットの固定方法は、重量物を支持、運搬する設備として強固な固定を強いられるため、返って付帯作業が増えことが想定され合理性にかける。
【００１４】
本発明は上述の点に鑑みなされたもので、その目的とするところは、大型揚重設備を用いて躯体工事と機械工事を併用して行うものであっても、各々の工事の作業効率を阻害することなく、しかも、ライニングプレートの据付作業の際には雨水や雪等から防護することができるライニングプレート据付兼雨養生治具及びこの治具を用いたライニングプレート据付方法を提供することにある。
【課題を解決するための手段】
【００１５】
本発明のライニングプレート据付兼雨養生治具は、上記目的を達成するために、容器状構造物のライニング内張り容器の内側に、複数のライニングプレートを据付ける際に用いられるライニングプレート据付兼雨養生治具であって、前記ライニングプレート据付兼雨養生治具は、横行レールと、該横行レールを支持するＨ鋼材から成る長尺な大引きと、前記横行レールを横行可能とするトロリを介して取付けられるか又は前記横行レールに直接取付けられたホイストクレーンと、該ホイストクレーンに設けられた吊りフックと、前記長尺な大引きの一方側を支持し、前記容器状構造物に設けられた手摺りに取付けられている第１のパイプサポートと、前記長尺な大引きの他方側を支持し、前記ライニング内張り容器内に設置された作業床に取付けられている大引き受けと、前記手摺りに取付けられている第２のパイプサポートと、前記作業床に取付けられている第３のパイプサポートと、前記第２及び第３のパイプサポートに支持され、前記吊りフックで吊上げられた前記ライニングプレートの据付け作業時に雨水又は雪から防護する屋根部材とを備えていることを特徴とする。
【００１６】
また、本発明のライニングプレート据付兼雨養生治具を用いたライニングプレート据付方法は、上記目的を達成するために、複数枚にまとめて容器状のライニング内張り容器に搬入されたライニングプレートを、上記構成のライニングプレート据付兼雨養生治具を用いて屋根部材により雨水又は雪から防護した状態で１枚毎に吊り上げると共に、前記ライニングプレートを１枚毎に雨水又は雪から防護した状態で前記ライニング内張り容器の内側の所定位置に移動して据付けることを特徴とする。
【発明の効果】
【００１７】
本発明によれば、大型揚重設備を用いて躯体工事と機械工事を併用して行うものであっても、各々の工事の作業効率を阻害することなく、しかも、ライニングプレートの据付作業の際には雨水や雪等から防護することができる。
【図面の簡単な説明】
【００１８】
【図１】本発明のライニングプレート据付兼雨養生治具の実施例１が、原子力発電所等で用いられるライニング内張り容器である燃料貯蔵プールに設置された状態を示す縦断面図である。
【図２】図１のライニングプレート据付兼雨養生治具の詳細を示す拡大断面図である。
【図３】本発明のライニングプレート据付兼雨養生治具の実施例１における作業工程を説明するための縦断面図である。
【図４】ライニング内張り容器の内側にライニングプレートを据付ける従来の工法を説明するための縦断面図である。
【発明を実施するための形態】
【００１９】
以下、図示した実施例に基づいて本発明のライニングプレート据付兼雨養生治具及びこの治具を用いたライニングプレート据付方法を説明する。
【実施例１】
【００２０】
図１及び図２に、本発明のライニングプレート据付兼雨養生治具の実施例１が、原子力発電所等で用いられるライニング内張り容器である燃料貯蔵プールに設置された状態を示す。
【００２１】
該図に示す如く、本実施例のライニングプレート据付兼雨養生治具７は、横行レール９と、この横行レール９と直交するように配置されて横行レール９を支持するＨ鋼材から成る長尺な大引き８と、横行レール９を横行可能とするギヤトロリ１０と、ギヤトロリ１０に取付けられたホイストクレーン１１と、このホイストクレーン１１に設けられた第１の吊りフック１２ａと、ホイストクレーン１１に設けられた第１の吊りフック１２ａを介して取り付けられたチェーンブロック装置１３と、このチェーンブロック装置１３に設けられた第２の吊りフック１２ｂと、長尺な大引き８の一方側（図２の右側）を支持し、容器状構造物のライニング内張り容器（燃料貯蔵プール）３のオペレーションフロア１に設けられた手摺り５ｂに取付けられている第１のパイプサポート１４ａと、長尺な大引き８の他方側（図２の左側）を支持し、ライニング内張り容器３内に設置された作業床４ｂに取付けられている大引き受け１５と、手摺り５ｂに取付けられている第２のパイプサポート１４ｂと、作業床４ｂに取付けられている第３のパイプサポート１４ｃと、第２及び第３のパイプサポート１４ｂ及び１４ｃに支持され、第２の吊りフック１２ｂで吊上げられたライニングプレート６ａ、６ｂの据付け作業時に雨水又は雪から防護する屋根部材１６とから概略構成されている。
【００２２】
なお、チェーンブロック装置１３は必ずしも必要とはせず、また、横行可能なホイストクレーン１１を、ギヤトロリ１０を介さずに直接横行レール９に設置してもライニングプレート６ａ、６ｂの据付作業は可能である。
【００２３】
そして、図１に示すように、予め大型揚重設備（例えば、クレーン）２でライニングプレート６ａを、ライニング内張り容器３内の所定の位置に搬入後、本実施例のライニングプレート据付兼雨養生治具７を用いて、ライニング内張り容器３の内側の全周に渡り設置されている既存の足場等からなる作業床４ａ及び４ｂと、ライニング内張り容器３内への墜落防止用の手摺り５ａ及び５ｂを利用して設置する。
【００２４】
図１では、一部分のみの設定状態を示しているが、屋根部材１６については、ライニング内張り容器３の全周に設置し、モノレールについてはライニングプレートの設置作業を実施している壁だけに設置し、据付作業が完了する毎に移動するものである。
【００２５】
また、本実施例のライニングプレート据付兼雨養生治具７は、既存の足場等からなる作業床４ｂ及び墜落防止用に設けられた手摺り５ｂより支持できるものであり、第１のパイプサポート１４ａ及び大引き受け１５によって支持されている。この第１のパイプサポート１４ａ及び大引き受け１５は、足場材で用いられるジャッキベース等の高さを調整できる構造を持つものである。
【００２６】
また、第１のパイプサポート１４ａとＨ鋼材からなる大引き８との取り合い部は、ボルト等で締結できる構造をもつものである（図示せず）。また、Ｈ鋼材からなる大引き８と作業床４ｂの取り合い部は、大引き受け１５によって支持されている。これにより、大引き８が作業床４ｂに強固に固定される。
【００２７】
更に、本実施例のライニングプレート据付兼雨養生治具７には、雨水や雪等からの防護設備である屋根部材１６（第２及び第３のパイプサポート１４ｂ及び１４ｃに支持されている）を具備しており、ライニングプレートの据付作業におけるライニングプレートの貼り付け溶接は勿論、雨水や雪等からの影響を防護可能となる。
【００２８】
図４に、比較のためライニング内張り容器３の内側にライニングプレートを据付ける従来の工法を示す。
【００２９】
該図に示す如く、通常、オペレーションフロア１に設置されているライニング内張り容器３の内側の全周に渡り足場等からなる作業床４ａ及び４ｂが設置されており、更に、ライニング内張り容器３内への墜落防止用の手摺り５ａ及び５ｂが設けられている。
【００３０】
従って、従来の工法では、オペレーションフロア１に設置された大型揚重設備２より躯体コンクリートを構築するための躯体工事と、躯体表面にライニングプレートを設置する機械工事の２種類の工事が併進して作業が行われているため、ライニングプレートを設置する機械工事は、大型揚重設備２の使用制限の他、雨水や雪等からの防護設備の設置が困難であり、作業を実施するタイミングに影響を受けていた。
【００３１】
このように、従来の工法では、大型揚重設備２を用いて作業した場合には、雨水や雪等からの防護設備を設置するのは困難であったが、本実施例のライニングプレート据付兼雨養生治具７を用いれば、容易に雨水や雪等からの防護設備が設置可能となる。
【００３２】
図３を用いて、本実施例のライニングプレート据付兼雨養生治具７における作業工程について説明する。
【００３３】
該図に示す如く、本実施例では、複数枚にまとめて容器状のライニング内張り容器３に搬入されたライニングプレート６ａを、上述したライニングプレート据付兼雨養生治具７を用いて屋根部材１６により雨水又は雪から防護した状態で１枚毎に吊り上げると共に、ライニングプレート６ａを１枚毎に雨水又は雪から防護した状態でライニング内張り容器３の内側の所定位置に移動して据付けるものである。
【００３４】
即ち、ライニングプレートの据付手順としては、複数枚にまとめて搬入したライニングプレート６ａを、本実施例のライニングプレート据付兼雨養生治具７を用いて１枚毎に吊上げ（この状態がライニングプレート６ｂ）、決められたライニング内張り容器３内の設定位置に移動し、ライニングプレート６ａを据付けるものである。
【００３５】
この際、ライニング内張り容器３の内側の所定位置に移動して据付けられた複数枚のライニングプレート６ｂ同士は、屋根部材１６により雨水や雪から防護した状態で溶接接合される。
【００３６】
このように、本実施例のライニングプレート据付兼雨養生治具７を用いれば、躯体コンクリートを構築するための躯体工事に影響なく、また、併用されていた大型揚重設備２の使用に制限等なく、躯体表面にライニングプレート６ｂを設置する機械工事が可能であり、長期間、コンクリート躯体に屋根部材が無い状態が続く中でも、溶接品質他に影響なくライニングプレート６ｂの据付作業が可能となる。
【００３７】
従って、本実施例によれば、ライニング内張り容器３の工事において、躯体工事と機械工事各々の作業効率を阻害することなく、従来併用されていた大型揚重設備２は、ライニングプレート６ａをライニング内張り容器３内に搬入した以降は使用せずとも機械工事のライニングプレート据付作業が可能となり、機械工事の作業を実施するタイミングに影響がない。また、従来工法では雨水や雪等からの防護設備の設置が困難であったが、雨水や雪等からの防護設備（屋根部材１６）を具備しているため、雨水や雪等からの防護が可能であり、ライニングプレート貼り付け溶接の溶接品質にも影響を低減することができる。
【００３８】
また、全てのライニングプレート６ｂの据付作業が完了したら、隣の壁のライニングプレートを据付けるが、溶接作業でも本実施例の雨養生屋根（屋根部材１６）を使用するため、雨養生屋根を残置したまま、下部のチェーンブロック１３、ホイストクレーン１１、ギヤトロリ１０、横行レール９、大引き８、大引き受け１５、第１のパイプサポート１４ａだけを順番に解体できる構造としている。これらを解体後は、ライニングプレート据付兼雨養生治具７を隣の壁の養生屋根の下に本実施例と同様に設置し、ライニングプレートの据付け作業に使用する。
【００３９】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００４０】
１…オペレーションフロア、２…大型揚重設備、３…ライニング内張り容器、４ａ、４ｂ…作業床、５ａ、５ｂ…手摺り、６ａ、６ｂ…ライニングプレート、７…ライニングプレート据付兼雨養生治具、８…大引き、９…横行レール、１０…ギヤトロリ、１１…ホイストクレーン、１２ａ…第１の吊フック、１２ｂ…第２の吊フック、１３…チェーンブロック装置、１４ａ…第１のパイプサポート、１４ｂ…第２のパイプサポート、１４ｃ…第３のパイプサポート、１５…大引き受け、１６…屋根部材。
【図１】
0006534938.tif 000002
【図２】
0006534938.tif 000003
【図３】
0006534938.tif 000004
【図４】
0006534938.tif 000005